(57)【要約】【課題】試験光を信号光の波長と異ならせるとともに信号光の２倍以上の周波数にしても信号光の混在する光ファイバ心線でも試験光の有無を適確に検知して心線対照を適確に行い得る心線対照方法および装置を提供する。【解決手段】信号光の波長と異なる波長の光を光源３１から出力し、この光源からの出力光を信号光の周波数の２倍以上の周波数で変調部３２により変調し、この変調光を試験光Ａとして光線路２の光ファイバ心線に入射し、対照地点２１で光線路２の光ファイバ心線を対照ヘッド部４１で曲げて漏れ出た光から試験光を試験光受光部４２で受光して電気信号に変換し、この電気信号を処理部４３で処理して試験光の強度処理を行い、その結果を試験光の強度信号として表示部４４に供給し、試験光を強度表示する。【選択図】      図１
2005031001.tif 000002
【特許請求の範囲】
【請求項１】
光ファイバ心線に試験光を入射し、この試験光を対照地点で受光して光ファイバ心線を対照する心線対照方法であって、
光ファイバ心線を伝送される信号光の波長と異なる波長の光を光源から出力する第１のステップと、
この光源からの出力光を前記信号光の周波数の２倍以上の周波数で変調し、この変調光を試験光として光ファイバ心線に入射する第２のステップと、
対照地点で光ファイバ心線から光を抽出する第３のステップと、
この抽出した光から試験光を受光して電気信号に変換する第４のステップと、
この電気信号を処理して試験光の強度処理を行い、その結果を試験光の強度信号として出力する第５のステップと、
この試験光の強度信号を受け取り、試験光を強度表示する第６のステップと
を有することを特徴とする心線対照方法。
【請求項２】
前記第２のステップで変調された変調光を所定の低周波信号で強度変調し、この強度変調光を試験光として光ファイバ心線に入射することを特徴とする請求項１記載の心線対照方法。
【請求項３】
前記第３のステップで光ファイバ心線から抽出された光のうち試験光の波長と同じ光のみを選択的に取り出し、前記第４のステップに供給することを特徴とする請求項１または２記載の心線対照方法。
【請求項４】
光ファイバ心線に試験光を入射し、この試験光を対照地点で受光して光ファイバ心線を対照する心線対照装置であって、
光ファイバ心線を伝送される信号光の波長と異なる波長の光を出力する光源と、
この光源からの出力光を前記信号光の周波数の２倍以上の周波数で変調し、この変調光を試験光として光ファイバ心線に入射する変調手段と、
対照地点で光ファイバ心線から光を抽出する抽出手段と、
この抽出した光から試験光を受光して電気信号に変換する試験光受光手段と、
この電気信号を処理して試験光の強度処理を行い、その結果を試験光の強度信号として出力する処理手段と、
この試験光の強度信号を受け取り、試験光を強度表示する表示手段と
を有することを特徴とする心線対照装置。
【請求項５】
前記変調手段の出力に接続され、変調手段で変調された変調光を所定の低周波信号で強度変調し、この強度変調光を試験光として光ファイバ心線に入射する強度変調手段を有する
ことを特徴とする請求項４記載の心線対照装置。
【請求項６】
前記抽出手段と前記試験光受光手段との間に接続され、前記抽出手段で光ファイバ心線から抽出された光のうち試験光の波長と同じ光のみを選択的に取り出し、試験光受光手段に供給する波長選択手段を有することを特徴とする請求項４または５記載の心線対照装置。
【発明の詳細な説明】
【技術分野】
【０００１】
本発明は、光ファイバ心線に試験光を入射し、この試験光を対照地点で受光して光ファイバ心線を対照する心線対照方法および装置に関する。
【背景技術】
【０００２】
光ファイバケーブルは、複数の光ファイバ心線から構成され、かつ長距離にわたって敷設されるものも多いので、これらの光ファイバ心線を先端または途中で切断したり接続する際には、光ファイバ心線を１本ずつ光ファイバの片端と作業地点との間で対照し、同一光ファイバであることを確認する心線対照作業が必要である。
【０００３】
心線対照作業は、対照すべき光ファイバ心線の片端から試験光を入射し、作業地点である対照地点で光ファイバ心線を曲げて、光ファイバから漏れ出る光を対照部で検知することにより行う。
【０００４】
更に詳しくは、心線対照作業では、光ファイバ心線の片端側に設けられた光源から生成される光を変調器で変調して、試験光として光ファイバ心線からなる光線路に入射し、この試験光を対照地点に設けられた対照部の対照ヘッド部で抽出する。詳しくは、対照地点の光ファイバ心線を対照ヘッド部で曲げ、この曲げられた光ファイバ心線から漏れる光を試験光受光部で受信して電気信号に変換し、処理部に供給する。処理部は、この電気信号の中から試験光と同じ周波数に変調された信号を検出し、この検出信号により表示ランプ部でランプを点灯させる。このランプの点灯により対照すべき光ファイバ心線であることを確認する。
【０００５】
なお、上記心線対照作業では、光ファイバに曲げを加えたことによる信号光の伝送損失を最小にし、かつ心線対照装置が試験光を検知できることが必要である。最近では、試験光の波長が１．６５μｍである心線対照器も実用化され、試験光の曲げによる漏れ光を大きくしている（例えば、非特許文献１参照）。
【０００６】
しかしながら、従来は、実際に心線の対照を行う場合、使用されていない空き心線に試験光を入射し、空き心線の対照を行うということが一般的であり、実際に信号光が伝送されている心線（活線）に試験光を入射する場合には、試験光が信号光に影響を与えてしまうという問題があるため、活線に試験光を入射しないことが多かった。一方、信号光を対照部で検知することにより、心線を対照する方法も取られているが、この場合、信号光の検知が困難であるため、対照の確率が著しく低下するという問題があった。
【０００７】
活線に試験光を入射して対照を行うために、従来、試験光を信号光の２倍以上の周波数にすることにより、信号光が伝送されている光ファイバ心線に試験光を入射できるようにした心線対照方法も提案されている。しかしながら、この方法で記述されているような高周波で微小な信号を受光する装置を作成することは現在の技術では困難であるといえる。
【特許文献１】特開２００３−６５８９４号公報
【非特許文献１】K.Arakawa 他、“A Method for Identifying Single-mode Fibers in an Operating Fiber Cable System(稼動ファイバケーブルシステムの単一モードファイバの識別法)”IWCS, pp.88-93,1989）
【発明の開示】
【発明が解決しようとする課題】
【０００８】
従来、試験光を信号光の２倍以上の周波数にした場合、対照部の受光部が従来の感度を保ちながら高周波の検出に対応できず、信号光がＭｂｓやＧｂｓになると、現在の技術では実現困難であるという問題がある。
【０００９】
本発明は、上記に鑑みてなされたもので、その目的とするところは、試験光を信号光の波長と異ならせるとともに信号光の２倍以上の周波数にしても信号光の混在する光ファイバ心線でも試験光の有無を適確に検知して心線対照を適確に行い得る心線対照方法および装置を提供することにある。
【課題を解決するための手段】
【００１０】
上記目的を達成するため、請求項１記載の本発明は、光ファイバ心線に試験光を入射し、この試験光を対照地点で受光して光ファイバ心線を対照する心線対照方法であって、光ファイバ心線を伝送される信号光の波長と異なる波長の光を光源から出力する第１のステップと、この光源からの出力光を前記信号光の周波数の２倍以上の周波数で変調し、この変調光を試験光として光ファイバ心線に入射する第２のステップと、対照地点で光ファイバ心線から光を抽出する第３のステップと、この抽出した光から試験光を受光して電気信号に変換する第４のステップと、この電気信号を処理して試験光の強度処理を行い、その結果を試験光の強度信号として出力する第５のステップと、この試験光の強度信号を受け取り、試験光を強度表示する第６のステップとを有することを要旨とする。
【００１１】
請求項１記載の本発明にあっては、信号光の波長と異なる波長の光を光源から出力し、この出力光を信号光の周波数の２倍以上の周波数で変調し、この変調光を試験光として光ファイバ心線に入射し、対照地点で光ファイバ心線から抽出した光から試験光を受光して電気信号に変換し、この電気信号を処理して試験光の強度処理を行い、その結果を試験光の強度信号として表示部に表示するため、信号光が伝送されている光ファイバ心線に試験光を入射して心線対照しても、信号光に影響を与えることなく、試験光を光ファイバ心線に入射して伝送できるとともに、試験光をその強度信号として適確に検知し、表示することができ、心線対照を適確に行うことができる。
【００１２】
また、請求項２記載の本発明は、請求項１記載の発明において、前記第２のステップで変調された変調光を所定の低周波信号で強度変調し、この強度変調光を試験光として光ファイバ心線に入射することを要旨とする。
【００１３】
請求項２記載の本発明にあっては、変調光を低周波で強度変調し、試験光として光ファイバ心線に入射するため、この強度変調光を対照地点で取り出して強度表示することにより、試験光の有無を適確に識別することができ、心線対照を適確に行うことができる。
【００１４】
更に、請求項３記載の本発明は、請求項１または２記載の発明において、前記第３のステップで光ファイバ心線から抽出された光のうち試験光の波長と同じ光のみを選択的に取り出し、前記第４のステップに供給することを要旨とする。
【００１５】
請求項３記載の本発明にあっては、光ファイバ心線から抽出した光のうち試験光と同じ波長の光のみを選択的に取り出すため、試験光のみを適確に検知して試験光の有無を表示でき、心線対照を適確に行うことができる。
【００１６】
請求項４記載の本発明は、光ファイバ心線に試験光を入射し、この試験光を対照地点で受光して光ファイバ心線を対照する心線対照装置であって、光ファイバ心線を伝送される信号光の波長と異なる波長の光を出力する光源と、この光源からの出力光を前記信号光の周波数の２倍以上の周波数で変調し、この変調光を試験光として光ファイバ心線に入射する変調手段と、対照地点で光ファイバ心線から光を抽出する抽出手段と、この抽出した光から試験光を受光して電気信号に変換する試験光受光手段と、この電気信号を処理して試験光の強度処理を行い、その結果を試験光の強度信号として出力する処理手段と、この試験光の強度信号を受け取り、試験光を強度表示する表示手段とを有することを要旨とする。
【００１７】
請求項４記載の本発明にあっては、信号光の波長と異なる波長の光を光源から出力し、この出力光を信号光の周波数の２倍以上の周波数で変調し、この変調光を試験光として光ファイバ心線に入射し、対照地点で光ファイバ心線から抽出した光から試験光を受光して電気信号に変換し、この電気信号を処理して試験光の強度処理を行い、その結果を試験光の強度信号として表示部に表示するため、信号光が伝送されている光ファイバ心線に試験光を入射して心線対照しても、信号光に影響を与えることなく、試験光を光ファイバ心線に入射して伝送できるとともに、試験光をその強度信号として適確に検知し、表示することができ、心線対照を適確に行うことができる。
【００１８】
また、請求項５記載の本発明は、請求項４記載の発明において、前記変調手段の出力に接続され、変調手段で変調された変調光を所定の低周波信号で強度変調し、この強度変調光を試験光として光ファイバ心線に入射する強度変調手段を有することを要旨とする。
【００１９】
請求項５記載の本発明にあっては、変調光を低周波で強度変調し、試験光として光ファイバ心線に入射するため、この強度変調光を対照地点で取り出して強度表示することにより、試験光の有無を適確に識別することができ、心線対照を適確に行うことができる。
【００２０】
更に、請求項６記載の本発明は、請求項４または５記載の発明において、前記抽出手段と前記試験光受光手段との間に接続され、前記抽出手段で光ファイバ心線から抽出された光のうち試験光の波長と同じ波長の光のみを選択的に取り出し、試験光受光手段に供給する波長選択手段を有することを要旨とする。
【００２１】
請求項６記載の本発明にあっては、光ファイバ心線から抽出した光のうち試験光と同じ波長の光のみを選択的に取り出すため、試験光のみを適確に検知して強度表示でき、心線対照を適確に行うことができる。
【発明の効果】
【００２２】
以上説明したように、本発明によれば、信号光の波長と異なる波長の光を光源から出力し、この出力光を信号光の周波数の２倍以上の周波数で変調し、この変調光を試験光として光ファイバ心線に入射し、対照地点で光ファイバ心線から抽出した光から試験光を受光して電気信号に変換し、この電気信号を処理して試験光の強度処理を行い、その結果を試験光の強度信号として表示部に表示するので、信号光が伝送されている光ファイバ心線に試験光を入射して心線対照しても、信号光に影響を与えることなく、試験光を光ファイバ心線に入射して伝送できるとともに、試験光をその強度信号として適確に検知し、表示することができ、心線対照を適確に行うことができる。
【００２３】
また、本発明によれば、変調光を低周波で強度変調し、試験光として光ファイバ心線に入射するので、この強度変調光を対照地点で取り出して強度表示することにより、試験光の有無を適確に識別することができ、心線対照を適確に行うことができる。
【００２４】
更に、本発明によれば、光ファイバ心線から抽出した光のうち試験光と同じ波長の光のみを選択的に取り出すので、試験光のみを適確に検知して強度表示でき、心線対照を適確に行うことができる。
【発明を実施するための最良の形態】
【００２５】
以下、図面を用いて本発明の実施の形態を説明する。図１は、本発明の一実施形態に係わる心線対照方法を実施する心線対照装置の全体構成を示すブロック図である。
【００２６】
図１に示す実施形態の心線対照装置は、光線路２の光ファイバケーブルを構成している光ファイバ心線の試験光Ａを入射する光源部３および対照地点２１に設けられ、光線路２の光ファイバ心線を伝送されてきた試験光Ａを光線路２の光ファイバ心線から抽出して光ファイバ心線を対照する対照器４から構成されている。
【００２７】
光源部３は、光線路２を伝送される信号光の波長と異なる波長、例えば１．６５μｍの波長の光を出力する光源３１と、この光源３１からの出力光を信号光の周波数の２倍以上の周波数、例えば２ＧＨｚの周波数で変調し、この変調光を試験光Ａとして光線路２の光ファイバ心線に入射する変調手段を構成する変調部３２とを有する。
【００２８】
また、対照器４は、光線路２の光ファイバ心線から試験光Ａを抽出する抽出手段を構成する対照ヘッド部４１と、この抽出された試験光Ａを受光して電気信号に変換する試験光受光手段を構成する試験光受光部４２と、この電気信号を処理して試験光の信号として出力する処理手段を構成する処理部４３と、この試験光Ａの信号を受け取り、試験光Ａを表示する表示手段を構成する表示部４４とから構成されている。なお、前記対照ヘッド部４１は、光線路２の光ファイバ心線を対照地点２１において曲げることにより漏れ出る光を試験光Ａとして抽出する。
【００２９】
このように構成される心線対照装置において、光ファイバ心線を対照する場合には、光源部３の光源３１からの例えば１．６５μｍの波長の光を変調部３２で信号光の２倍の周波数の例えば２ＧＨｚで変調し、この変調光を試験光Ａとして光線路２の光ファイバ心線に入射する。
【００３０】
対照器４においては、対照地点２１において対照ヘッド部４１によって光線路２の光ファイバ心線に曲げを加え、この曲げによって光ファイバ心線から試験光Ａを漏れ出させ、この漏れ出た試験光Ａを試験光受光部４２で受光する。試験光受光部４２は、光ファイバ心線から漏れ出た試験光Ａを電気信号に変換して処理部４３に供給する。
【００３１】
処理部４３は、試験光受光部４２からの電気信号を処理して試験光Ａの処理を行い、その結果を試験光Ａの信号として表示部４４に供給する。表示部４４は、試験光Ａの信号を表示する。この結果、表示部４４に表示される信号を観測することにより、観測者は試験光Ａを識別することができ、試験光Ａを検出した場合には、現在心線対照している光ファイバ心線であると判断することができる。
【００３２】
図２は、図１の実施形態において前記表示部４４の代わりに表示ランプ部４５を使用した心線対照装置の構成を示す図であり、その他の構成および作用は図１と同じであり、同じ構成要素には同じ符号を付している。
【００３３】
図２に示すように、表示部４４の代わりに表示ランプ部４５を使用することにより、試験光Ａを検出した場合には、表示ランプ部４５のランプを点灯するようにしている。従って、観測者は、表示ランプ部４５のランプの点灯を観測することにより、現在心線対照している光ファイバ心線であると簡単に判断することができる。
【００３４】
図３は、本発明の他の実施形態に係わる心線対照方法を実施する心線対照装置の構成を示すブロック図である。
【００３５】
図３に示す実施形態の心線対照装置は、図１に示した実施形態の心線対照装置において光源部３において変調部３２の出力に強度変調部３３を新たに追加接続した点が異なるのみであり、その他の構成および作用は同じであり、光源部の符号を３０に変更した点を除いて同じ構成要素には同じ符号を付している。
【００３６】
強度変調部３３は、変調部３２で変調された変調光を低周波、例えば１Ｈｚ以下の低周波で強度変調し、この強度変調光を試験光Ａとして光線路２の光ファイバ心線に入射するものである。なお、この場合の強度変調は、矩形波ではなく、正弦波による強度変調、すなわち単一周波数による強度変調が好ましい。
【００３７】
このように構成される心線対照装置において、光ファイバ心線を対照する場合には、光源部３の光源３１から出力される例えば１．６５μｍの波長の光を変調部３２で信号光の２倍の周波数の例えば２ＧＨｚで変調し、この変調光を更に強度変調部３３において低周波で強度変調し、この強度変調光を試験光Ａとして光線路２の光ファイバ心線に入射する。
【００３８】
対照器４においては、対照地点２１において対照ヘッド部４１によって光線路２の光ファイバ心線に曲げを加え、この曲げによって光ファイバ心線から漏れ出た試験光Ａを試験光受光部４２で受光する。試験光受光部４２は、光ファイバ心線から漏れ出た試験光Ａを電気信号に変換して処理部４３に供給する。
【００３９】
処理部４３は、試験光受光部４２からの電気信号を処理して試験光Ａの強度処理を行い、その結果を試験光Ａの強度信号として表示部４４に供給する。表示部４４は、試験光Ａの強度表示を行う。この結果、観測者は表示部４４における強度表示を観測し、強度表示が試験光Ａと同じ周期で強度変調されていることを検出した場合には、現在心線対照している光ファイバ心線であると判断することができる。
【００４０】
すなわち、本実施形態では、光源部３０において強度変調部３３で試験光Ａを強度変調するとともに、対照器４において処理部４３で試験光Ａの強度処理を行い、試験光Ａの強度信号として出力し、表示部４４において試験光Ａを強度表示する。従って、観測者は、表示部４４における強度表示が試験光Ａと同じ周期で強度表示されることを検出した場合には、対照すべき光ファイバ心線であると判断できる。
【００４１】
図４は、図３の実施形態において前記表示部４４の代わりに表示ランプ部４５を使用した心線対照装置の構成を示す図であり、その他の構成および作用は図３と同じであり、同じ構成要素には同じ符号を付している。
【００４２】
図４に示すように、表示部４４の代わりに表示ランプ部４５を使用することにより、試験光Ａを検出した場合には、表示ランプ部４５のランプで点灯するようにしている。従って、観測者は、表示ランプ部４５のランプの点灯を観測することにより、現在心線対照している光ファイバ心線であると簡単に判断することができる。なお、ここで、処理部４３に低周波の周波数成分を取り出す機能を持たせ、例えば試験光Ａの強度変調の周波数と同じ１Ｈｚの信号を受光した場合に、表示ランプ部４５でランプが点灯するようにすれば、ランプ点灯により試験光Ａの対照を容易に識別することができ、対照作業をやり易くすることができる。
【００４３】
図５は、本発明の別の実施形態に係わる心線対照方法を実施する心線対照装置の構成を示すブロック図である。
【００４４】
図５に示す実施形態の心線対照装置は、図１に示した実施形態の心線対照装置において対照器４の対照ヘッド部４１と試験光受光部４２との間に試験光Ａの波長、すなわち１．６５μｍの波長を選択的に取り出す波長選択部６２を新たに設けた点が異なるのみであり、その他の構成および作用は同じであり、対照器の符号を６に変更した点を除いて同じ構成要素には同じ符号を付している。
【００４５】
このように構成される実施形態の心線対照装置において、光ファイバ心線を対照する場合には、光源部３の光源３１からの例えば１．６５μｍの波長の光を変調部３２で信号光の２倍の周波数の例えば２ＧＨｚで変調し、この変調光を試験光Ａとして光線路２の光ファイバ心線に入射する。
【００４６】
対照器４においては、対照地点２１において対照ヘッド部４１によって光線路２の光ファイバ心線に曲げを加え、この曲げによって光ファイバ心線から光を漏れ出させ、この漏れ出た光から試験光Ａの波長である１．６５μｍの波長を波長選択部６２により選択的に取り出し、試験光受光部４２に供給する。試験光受光部４２は、この選択された波長、すなわち１．６５μｍの波長の試験光Ａを受光し、電気信号に変換して処理部４３に供給する。
【００４７】
処理部４３は、試験光受光部４２からの電気信号を処理して試験光Ａの強度処理を行い、その結果を試験光Ａの強度信号として表示部４４に供給する。表示部４４は、試験光Ａの強度信号を表示する。この結果、表示部４４に表示される強度信号を観測することにより、観測者は試験光Ａを識別することができ、試験光Ａを検出した場合には、現在心線対照している光ファイバ心線であると判断することができる。
【００４８】
また、図６に示すように、表示部４４の代わりに表示ランプ部４５を使用することにより、試験光Ａを検出した場合には、表示ランプ部４５のランプを試験光Ａの強度信号で点灯するようにしている。従って、観測者は、表示ランプ部４５のランプの点灯を観測することにより、現在心線対照している光ファイバ心線であると簡単に判断することができる。
【００４９】
前記波長選択部６２は、詳しくは、図７に示すように、試験光Ａの１．６５μｍの波長の光のみを選択的に取り出して通過させる波長選択フィルタ６２１により構成される。従って、この波長選択フィルタ６２１により選択的に取り出される光信号は、１．６５μｍの波長の試験光Ａのみであるので、この試験光Ａを試験光受光部４２、処理部４３を介して表示部４４に表示することにより試験光Ａのみを適確に強度表示することができる。
【００５０】
また、波長選択部は、図８において符号６２０として示すように、スリット部６２２、回析格子部６２３、波長選択リスト部６２４により構成することも可能である。
【００５１】
このように構成される波長選択部６２０では、対照ヘッド部４１で光ファイバ心線を曲げることで漏れ出る光は、スリット部６２２によって方向を定められて回析格子部６２３に達し、回析格子部６２３において波長毎に異なる方向に反射される。従って、試験光Ａの波長である１．６５の波長が反射される方向に波長選択スリット部６２４を設けることにより、試験光Ａの波長の光のみを選択的に処理部４３に供給することができる。これにより試験光Ａのみを適確に検出することができる。
【００５２】
図９は、図５および図６に示した実施形態の心線対照装置のうち、対照ヘッド部４１、波長選択部６２、試験光受光部４２を覆い部６７で覆うことにより他の光が入らないようにし、これにより本実施形態の心線対照装置の感度を向上しようとするものである。
【図面の簡単な説明】
【００５３】
【図１】本発明の一実施形態に係わる心線対照方法を実施する心線対照装置の全体的構成を示すブロック図である。
【図２】図１に示す実施形態の心線対照装置において表示部の代わりに表示ランプ部を用いた場合の構成を示すブロック図である。
【図３】本発明の他の実施形態に係わる心線対照方法を実施する心線対照装置の構成を示すブロック図である。
【図４】図３に示す実施形態の心線対照装置において表示部の代わりに表示ランプ部を用いた場合の構成を示すブロック図である。
【図５】本発明の別の実施形態に係わる心線対照方法を実施する心線対照装置の構成を示すブロック図である。
【図６】図５に示す実施形態の心線対照装置において表示部の代わりに表示ランプ部を用いた場合の構成を示すブロック図である。
【図７】図５および図６の実施形態の心線対照装置に使用されている波長選択部の具体例の構成を示す図である。
【図８】図５および図６の実施形態の心線対照装置に使用されている波長選択部の別の具体例の構成を示す図である。
【図９】図５および図６に示した実施形態の心線対照装置において対照ヘッド部、波長選択部、試験光受光部を覆い部で覆った場合の構成を示す図である。
【符号の説明】
【００５４】
２    光線路
３    光源部
４、６、４０、６０    対照器
３１    光源
３２    変調部
３３    強度変調部
４１    対照ヘッド部
４２    試験光受光部
４３    処理部
４４    表示部
４５    表示ランプ部
６２    波長選択部
【図１】
2005031001.tif 000003
【図２】
2005031001.tif 000004
【図３】
2005031001.tif 000005
【図４】
2005031001.tif 000006
【図５】
2005031001.tif 000007
【図６】
2005031001.tif 000008
【図７】
2005031001.tif 000009
【図８】
2005031001.tif 000010
【図９】
2005031001.tif 000011